(57)【要約】【課題】  衛生的で柔軟性が高く、安眠を促進できる動物用のマットを提供することを課題とする。【解決手段】  防水性のあるマットの外側部を湾曲に形成して、底面内側部を床面から浮き上がらせたことにより、衛生的で柔軟性のある動物用のマットを提供することが可能になる。【選択図】図３
2005143496.tif 000002
【特許請求の範囲】
【請求項１】
外側部を曲げて形成し、底面内側部に空間部（低圧部）を形成することで柔軟性を高める形状を特徴とする動物用のマット。
【請求項２】
外側部を湾曲に形成し、底面内側部に空間部（低圧部）を形成することで柔軟性を高める形状を特徴とする動物用のマット。
【請求項３】
面の全体に傾斜をつけることを特徴とする動物用のマット。
【請求項４】
外側部を曲げて形成することで、表面と裏面の使い分けにより柔軟性を変えられる形状を特徴とする動物用のマット。
【請求項５】
防水効果のあるトレーの部分と一体化した動物用のマット。
【請求項６】
通気のできる箇所を設けた本発明のマット。
【請求項７】
面に凸凹をつけた本発明のマット。
【請求項８】
本発明のマットの形状に合わせて形成したカバー。
【請求項９】
材質に不織布等の紙材を使用した動物用のマット。
【請求項１０】
材質に不織布等の紙材を使用した動物用のマットのカバー。
【発明の詳細な説明】
【技術分野】
【０００１】  本発明は動物用のマットに関するものである。
【背景技術】
【０００２】  従来のペット用マットにおいて、スポンジ等の柔らかな材質を使用しているものはペット（犬や猫）が好む柔軟性があり安眠効果を高めることができるが、そのためにはマットを厚くしなければならず、マット内部の湿度が高くなり適さないという問題がある。そこで、洗濯のできるマットも提供されているが、手間がかかり不便であるという問題がある。【０００３】  また、睡眠姿勢を考慮し、マットの外側部に高低差をつけたものはあるが、ペットが中央部で睡眠する場合、面の高さはほぼ一定でペットが頭部の高さを調整できない問題がある。【０００４】  また、ペット用のリバーシブルマットにおいては、各面の材質を変えて保温効果に差をつけ使い分けているものはあるが、柔軟性が大きく変わりペットと密着する窪みを大きく変えられるものはなく、気温等による睡眠姿勢の変化には対応できていない問題がある。【０００５】  また、ペットのトイレのしつけ等でサークルの中にトイレとマットの両方を入れた場合、マットが移動してトイレと重なることもあり、通常使用されている柔軟性のあるマットでは衛生的ではないという問題がある。【０００６】  また、防水カバーを覆った従来のマットを屋外で使用すると、雨水等で中央部に水溜りができて乾燥しにくい問題がある。また、柔軟性の高いマットは屋外では特に湿度が高まる環境にあるために使用されることはほとんどなく、ペットに安眠を促進できていない問題がある。
【発明の開示】
【発明が解決しようとする課題】
【０００７】  本発明は従来の問題を解決しようとするものであり、衛生的で柔軟性があり、頭部の高さをペットが自由に調整でき、密着する窪みを大きく変えられ、屋外の動物にも安眠を促進できるマットを提供することを課題とする。
【課題を解決するための手段】
【０００８】  請求項１の発明は、マットの外側部を曲げて枠の部分を形成することにより底面内側部に空間部を形成させ、底面内側部を床面から浮き上がらせた形状のものであり、使用時の底面と床面との密着面の調整により、マットの中央部の柔軟性を高めることが可能になる。【０００９】  請求項２の発明は、マットの外側部を湾曲に形成して枠の効果を持たせたことにより、中央部のみでなくマット全体の柔軟性を高めることが可能になる。なお、本発明のマットの形状として、底面内側部を床面から浮き上がらせた形状のもの以外に、枠の部分をさらに内側に曲げて底面を形成し、密閉されない空間部を形成させたものも本発明と同様の効果があり、本発明のマットに含まれるものとする。【００１０】  請求項３の発明は、本発明のマットの枠の部分に傾斜をつけることで面の全体に傾斜をつけ、マットの中央部の高さに幅を持たせることが可能になる。【００１１】  請求項４の発明は、本発明のマットの裏面を利用することで、平面で密着度の少ないマットとして利用することが可能になる。【００１２】  請求項５の発明の一例として、防水効果を持たせた本発明のマットに上下を逆にした前記マットを接続した形状に形成することにより、トレーの面を一体化させた柔軟性のあるマットの提供が可能になる。また、トレーの部分を取り外し可能に接続されたものも本発明のマットに含まれるものとする。【００１３】  請求項６の発明は、本発明のマットに穴を開ける等して通気のできる箇所を設けたもので、空間部の気圧の変化を防ぐ事が可能になる。【００１４】  請求項７の発明は、マット表面、裏面の内側部に凸凹を形成させたもので、使用条件により形状を選ぶことが可能になる。【００１５】  請求項８は、マットの形状に合わせて形成したカバーである。【００１６】  請求項９及び請求項１０は、マット及びカバーの材質に不織布等の紙材を使用したものであり、請求項１０のカバーにおいては、マットの全体の形状に合わせて形成したものの他にマットの一部に使用されるものも提供することができ、シール等で滑り止めを施すことにより材料を簡素化することができる。
【発明の効果】
【００１７】  上述したように本発明のマットは柔軟性を高めるための形状を特徴とし、特に請求項２のマットにおいては、枠の部分を直角にしたものや円筒形にしたものと比べてマット全体の柔軟性を高められる形状であることから、ペットに安眠を促進できる効果が高まる。また、マットに傾斜をつけたことによりペットがマットの中央部で睡眠する場合においても、頭部が当たる部分の高さをペットが調整できることから安眠を促進できる効果がある。【００１８】  さらに本発明のマットは、厚みを抑えても柔軟性がある形状であるため、材質を防水性の高いゴム類にすることも可能で、湿度が高まらず洗濯が簡単で衛生的に使用できる効果がある。【００１９】  また、裏面は窪みが少なく使用できるため、気温等による睡眠姿勢の変化に対応し使い分けができる効果があり、裏面を凸凹の形状にして溝を多くつけることにより通気性が高まり暑い時期に適したものとなる。【００２０】  請求項５の本発明のマットにおいて、トレーの部分をトイレとして使用することにより、マットがトイレにずれるという問題を解決でき、衛生的に使用できる効果がある。【００２１】  請求項６の発明により、使用条件により空間部の気密性が高まることで柔軟性が低下することを防ぐ効果がある。また、表面内側部に穴を設けることで排水できる効果がある。【００２２】  請求項７の発明において、表面内側部を外側部よりも高くすることにより、水溜りのできる箇所が無くなり、屋外での使用に適したものになる。また、表面内側部を外側部よりも低くすることでペットとの密着度をより高められる効果がある。【００２３】  請求項８のカバーにより、マットの汚れを抑える効果とペットに噛まれ難くする効果がある。【００２４】  請求項９の発明の一例として、本発明の形状のマットを紙材で製造することにより、柔軟性がある使い捨てマットの提供が可能になる。【００２５】  請求項１０の発明は、使い捨てが可能なカバーを提供できるものであり、洗濯の省略化が可能になる。また、スポンジ製等の材質が柔らかなマットに使用すると一部のみが窪んで破れやすい欠点があるが、ゴム材で形成した本発明のマットとの組み合わせにより前記欠点を防ぐ効果がある。そして、紙材の材質を柔らかくすることにより、感触を向上させる効果を高められる。【００２６】  また、本発明のマットの形状により、マットの材質に通気性のよいものを使用することにより、気温の高い時期でも柔軟性のあるマットを提供できる効果がある。また、本発明のマットは洗浄が簡単である特徴があることから、ペット以外の屋外の動物にも適したものになる。
【発明の実施するための最良の形態】
【００２７】  本発明のマットの最良の形態として、材質はスチレン系エラストマー、ＥＶＡ樹脂等の防水性、柔軟性、耐久性があるものを使用する。形状は図２のように外側部を湾曲に形成した楕円形のもので，表面内側部は凹の形状をもたせる。大きさはペットに合わせて選択でき、ペットよりも少し大きめのものが適している。例えば１０ｋｇの犬用として、楕円の最大直径が８０ｃｍ程度、高さは２０ｃｍ程度で、厚さは２ｃｍ程度のものが適しており、柔軟性を高めながらペットが使用時に底面と床面との密着面積を抑えられるように調整することで効果を高められる。傾斜は最大段差３ｃｍ程度（傾斜角度１０度程度）にする。そして、枠の部分に直径１ｃｍ程度の穴を２箇所に設け、汚れを抑えるためにカバーを取り付ける。
【図面の簡単な説明】
【００２８】
【図１】本発明のマットの正面外観図で、前後が短く左右が長い楕円形の形状で、前後に緩やかな傾斜がつけてあり、通気の穴が開けてある。
【図２】表面内側に凹の形状を持たせた請求項２の断面図である。
【図３】ペットが使用時の図２の断面図である。
【図４】請求項５の断面図で、右側がトレーの部分である。
【符号の説明】
【００２９】    １  マット
２  ペット
３  穴
【図１】
2005143496.tif 000003
【図２】
2005143496.tif 000004
【図３】
2005143496.tif 000005
【図４】
2005143496.tif 000006
【手続補正書】
【提出日】平成16年6月25日(2004.6.25)
【手続補正１】
【補正対象書類名】特許請求の範囲
【補正対象項目名】請求項１
【補正方法】変更
【補正の内容】
【請求項１】
外側部を曲げて形成し、底面内側部に空間部（低圧部）を形成させた形状を基本として、柔軟性を高めたことを特徴とする動物用のマット。
【手続補正２】
【補正対象書類名】特許請求の範囲
【補正対象項目名】請求項２
【補正方法】変更
【補正の内容】
【請求項２】
外側部を湾曲に形成し、底面内側部に空間部（低圧部）を形成させた形状を基本として、柔軟性を高めたことを特徴とする動物用のマット。
【手続補正３】
【補正対象書類名】特許請求の範囲
【補正対象項目名】請求項９
【補正方法】変更
【補正の内容】
【請求項９】
材質に紙材（不織布等のプラスチック製の紙材を含む）を使用し、使い捨てを特徴とする動物用のマット。
【手続補正４】
【補正対象書類名】特許請求の範囲
【補正対象項目名】請求項１０
【補正方法】変更
【補正の内容】
【請求項１０】
材質に紙材（不織布等のプラスチック製の紙材を含む）を使用し、使い捨てを特徴とする動物用のマットのカバー。
【手続補正５】
【補正対象書類名】明細書
【補正対象項目名】００１２
【補正方法】変更
【補正の内容】
【００１２】  請求項５の発明の一例として、防水効果を持たせた本発明のマットに上下を逆にした前記マットを接続した形状に形成することにより、トレーの部分を一体化させた柔軟性のあるマットの提供が可能になる。また、トレーの部分を取り外し可能に接続されたものも本発明のマットに含まれるものとする。
【手続補正６】
【補正対象書類名】明細書
【補正対象項目名】００１８
【補正方法】変更
【補正の内容】
【００１８】  さらに本発明のマットは、厚みを抑えても柔軟性がある形状であるため、材質を防水性の高いゴム類にすることも可能で、湿度が高まらず洗浄が簡単で衛生的に使用できる効果がある。